(57)【特許請求の範囲】
【請求項１】
印刷物、電子情報伝達媒体を含むコンテンツが記録されたオブジェクトに付されたＩＤの読取手段と、２つの光学式センサを並設し、前記オブジェクトの動作を検出する領域をＸＹ座標とし、前記オブジェクトの左右の動作については、前記２つの光学式センサのいずれか一方の光学式センサがＸ軸方向のオブジェクトの動作を認識すると、前記２つの光学式センサで認識された移動距離の加算を開始し、正方向に所定の数値以上の加算値が算出されると右方向の動作として検出し、負方向に所定の数値以下の加算値が算出されると左方向の動作として検出し、上下の動作については、前記２つの光学式センサが、Ｙ軸方向のオブジェクトの動作を認識すると、前記２つの光学式センサで認識された移動距離の加算を開始し、正方向に所定の数値以上の加算値が算出されると上方向の動作として検出し、負方向に所定の数値以下の加算値が算出されると下方向の動作として検出し、回転の動作については、前記２つの光学式センサがＹ軸方向のオブジェクトの動作をそれぞれ正負反対方向に認識すると、前記２つの光学式センサで認識された移動距離の絶対値の加算を開始し、所定の数値以上の加算値が算出されると回転動作として検出するとともに、左右の回転方向はＹ軸方向のオブジェクトの動作を負方向と認識した光学式センサ側の回転動作として検出する動作認識処理部を有する動作検出手段と、このオブジェクトに関連するコンテンツ情報の格納手段と、上記読取手段によって特定されたコンテンツ情報をこの格納手段に格納されたコンテンツ情報から読み出す読出手段と、読み出されたコンテンツ情報について、前記動作検出手段によって検出された前記オブジェクトの１以上の動作に対応づけられたコンテンツ情報の提供を制御する制御手段と、この制御手段によって提供されるコンテンツ情報を表示、再生等する出力手段とを有し、上記読取手段と動作検出手段とから構成される入力インターフェース部が、筐体内に固定して収納可能なように形成されたことを特徴とする情報処理装置。
【請求項２】
前記オブジェクトに付されたＩＤの読取手段が、オブジェクトに付されたＲＦＩＤタグを読み取るＲＦＩＤリーダであることを特徴とする請求項１記載の情報処理装置。
【請求項３】
前記オブジェクトに付されたＩＤの読取手段が、オブジェクトに付されたバーコードを読み取るバーコードリーダであることを特徴とする請求項１記載の情報処理装置。
【請求項４】
前記併設された２つの光学式センサが、２つの光学式マウスのセンサ面をオブジェクトを動作させる側に向けて並設されたものであることを特徴とする請求項１から請求項３までのいずれかに記載の情報処理装置。
【請求項５】
前記２つの光学式センサが、前記ＸＹ座標上でのオブジェクトの動作を２点の座標信号として検出し、検出された座標信号を前記制御手段に送信することを特徴とする請求項１から請求項４までのいずれかに記載の情報処理装置。
【請求項６】
前記オブジェクトの動作検出手段が、前記光学式マウスを使用する場合に、センサ面をオブジェクトを動作させる側に向けて並設させることにより左右または上下の動作の検出が逆転することを補正する補正処理部を有することを特徴とする請求項４または請求項５記載の情報処理装置。
【請求項７】
前記格納手段が遠隔地に設けられ、この格納手段に格納されたコンテンツ情報をインターネット網、ＬＡＮなどの通信回線網を介して受信する受信手段を備えたことを特徴とする請求項１から請求項６までのいずれかに記載の情報処理装置。
【請求項８】
請求項１から請求項７までのいずれかに記載の情報処理装置を収納した筐体であって、前記オブジェクトのＩＤ及び動作の読取、検出面は、入力インターフェース部を構成するＲＦＩＤリーダまたはバーコードリーダ及び光学式センサによって前記オブジェクトのＩＤ及び動作を読取、検出可能な透過性素材で形成され、前記筐体の所定の用途に供される平面と同一平面上に位置することを特徴とする筐体。
【請求項９】
資料、書類等を載置する天板と、天板の裏面から垂下方向に延出させた脚部とを有するワゴン形状の筐体であって、入力インターフェース部は、前記オブジェクトのＩＤ及び動作の読取、検出面がこの天板と同一平面上に位置するように天板の厚さ方向に形成された収納部に収納され、前記情報処理装置を構成する格納手段と読出手段と制御手段については、前記脚部内に形成された収納部に収納され、コンテンツ情報の表示、再生を行なうプロジェクタをこの脚部に設置したことを特徴とする請求項８記載の筐体。
【請求項１０】
前記出力手段が画像、音声を表示、再生する１以上のディスプレイであり、ディスプレイと入力インターフェース部とをディスプレイの画像表示面と入力インターフェース部によるオブジェクトのＩＤ及び動作の読取、検出面とが同一平面上に位置するように隣接させて配設し、各筐体に上記オブジェクトを収納または展示するボックス、引出しを付設したことを特徴とする請求項８記載の筐体。
【発明の詳細な説明】
【技術分野】
【０００１】
本発明は、オブジェクトに関するコンテンツ情報処理装置、特に、オブジェクトの動作から所定のコンテンツ情報を表示、再生等させる情報処理装置及びこの情報処理装置を収納した筐体に関する。
【背景技術】
【０００２】
近年、書籍、雑誌などの印刷物のほか、ＣＤ、ＤＶＤなど電子情報伝達媒体に音楽、映像などを記録したものが商品化されている。これらの商品の販売促進を図るためには、需要者が気軽に内容、すなわちコンテンツ情報を確認できる環境を設定する必要がある。書籍、雑誌などの印刷物の場合は、店頭で直接手にして内容、すなわちコンテンツを確認することが可能であるが、ＣＤ、ＤＶＤなど場合は、試聴機器を店頭に設置しなければならない。通常、この試聴機器に搭載できるＣＤ、ＤＶＤ等の数は限定されているため、いきおい新譜などの売れ筋の商品だけしか試聴できないという不都合を招いていた。
【０００３】
そこで、従来、音楽ＣＤのパッケージのバーコード情報からあらかじめ各音楽ＣＤの音楽情報をデータベースに格納し、試聴希望者によって所望の音楽ＣＤが上記バーコードによって特定されると、上記データベースからその音楽ＣＤのデータを読出し、ヘッドセットで再生するコンパクトディスク試聴販売システムが提供されている（例えば、特許文献１参照。）。
【０００４】
ところで、最近、コンピュータの存在を意識させることなく、誰もがいつでもどこでも情報操作できるユビキタスコンピューティングの研究が盛んである。
【０００５】
例えば、上記従来技術の試聴販売システムによれば、試聴希望者は、音楽ＣＤに付されているバーコードをバーコードリーダによって読み取らせるだけで所望の音楽ＣＤ特定することができるが、複数の楽曲から所望の楽曲を選択するためには、曲選択ダイヤルを操作しなければならない。上記ユビキダスコンピューティングは、これら機器特有の操作をより簡単な動作によって実現しようとするものである。
【０００６】
このようなユビキダスコンピューティングとして、ＲＦＩＤ（Radio Frequency
Identification）タグを持つオブジェクトのＩＤ番号と動き（移動量、回転量）をセンサで検出し、この動きに対応した上記オブジェクトに関連するコンテンツ情報の提供が可能な入力デバイス（入力インターフェースを有する情報処理装置）が提案されている（例えば、非特許文献１参照。）。
【０００７】
たとえば、上記オブジェクトが音楽ＣＤのケースにＲＦＩＤタグを付したものである場合、上記入力インターフェース上にこの音楽ＣＤケースを置くと、ＲＦＩＤリーダにより、この音楽ＣＤを特定して再生を開始し、次いでこの音楽ＣＤケースを入力インターフェース上で下に動かすと次の曲にジャンプし、さらに、この音楽ＣＤケースを右に回転させると音量が大きくなるというようにコンテンツ情報が提供される。
【０００８】
この入力インターフェースを使用すれば、上記試聴販売システムのようなボタン、ダイヤルなどのコントローラを使うことなく、様々なコントロール機能を提供することができる。また、この入力インターフェースは、上記のような音楽ＣＤの再生に限らず、各種オブジェクトのコンテンツ情報の提供に供することが可能である。
【特許文献１】特開２００２−２５１８４（特許請求の範囲、請求項１の記載）
【非特許文献１】椎尾一郎、増井俊之、塚田浩二、「MouseField：ユビキタスコンピューティングのための入力デバイス」、情報処理学会論文誌、２００５年７月、Ｖｏｌ．４６、Ｎｏ．７、ｐ．１２３４−１２４３
【発明の開示】
【発明が解決しようとする課題】
【０００９】
上記従来の入力インターフェースでは、オブジェクトの動きは、一意的に確定するとは限らない。たとえば、「下に動かす」という動きでも直下に下ろす場合と左右にシフトする場合とがある。また、シフトする角度も一様ではない。このような相違は、オブジェクトを動かすオペレータが異なる場合はもとより、同じオペレータが、異時に動かした場合にも生じうる。
【００１０】
上記のような相違は、検出される移動量、回転量に相違を生じさせるため、確実なコンテンツ情報の提供に支障を来たすおそれがあったが、かかる不都合をどのように修正するかについては、上記先行技術文献では必ずしも明示的には示唆されていなかった。
【００１１】
また、上記入力インターフェースは、上記コンテンツの動きを検出するセンサとしてシンプルかつ堅牢であって、さらに低価格な入力装置を実現するために２個の光学式マウスを並設し、センサ面を上向きにしたものを提案している。
【００１２】
２個の光学式マウスを使用するのは、オブジェクトの動きの移動量のみならず、回転量も検出できるようにしたためである。回転量の検出が可能となることにより、この入力インターフェースで多様な操作にも対応することができるようになるからである。
【００１３】
しかしながら、２個のマウスを使用しても、通常のＯＳでは１つのマウスとして認識され、上記のような回転量の検出ができないおそれがあった。
【００１４】
また、光学式マウスを裏返して使用すると、左右上下の動きが反転し、操作をする者の意図が正確に反映されないという問題があった。
【００１５】
上記入力インターフェースは、基本的に光学式マウスとＲＦＩＤリーダとから構成される簡単な構造であるため、汎用的に各種筐体に設置、収納が可能であり、上記先行技術文献でも具体的な設置、収納例がいくつか示されている。
【００１６】
しかし、本来的な筐体の用途を損なうことなく、上記入力インターフェースを効果的に設置、収納した筐体については必ずしも上記先行文献では明示的に示唆されてはいなかった。
【００１７】
そこで、本発明は、上記問題点に鑑み、不確定なオブジェクトの移動量、回転量の相違を修正し、２個の光学式マウスを裏返して使用しても回転量の検出が可能であり、上下左右の動きが反転しない情報処理装置及びこの情報処理装置を効果的に設置、収納する筐体を提供することを課題とする。
【課題を解決するための手段】
【００１８】
上記課題を解決するため、本発明にかかる情報処理装置は、印刷物、電子情報伝達媒体を含むコンテンツが記録されたオブジェクトに付されたＩＤの読取手段と、２つの光学式センサを並設し、前記オブジェクトの動作を検出する領域をＸＹ座標とし、前記オブジェクトの左右の動作については、前記２つの光学式センサのいずれか一方の光学式センサがＸ軸方向のオブジェクトの動作を認識すると、前記２つの光学式センサで認識された移動距離の加算を開始し、正方向に所定の数値以上の加算値が算出されると右方向の動作として検出し、負方向に所定の数値以下の加算値が算出されると左方向の動作として検出し、上下の動作については、前記２つの光学式センサが、Ｙ軸方向のオブジェクトの動作を認識すると、前記２つの光学式センサで認識された移動距離の加算を開始し、正方向に所定の数値以上の加算値が算出されると上方向の動作として検出し、負方向に所定の数値以下の加算値が算出されると下方向の動作として検出し、回転の動作については、前記２つの光学式センサがＹ軸方向のオブジェクトの動作をそれぞれ正負反対方向に認識すると、前記２つの光学式センサで認識された移動距離の絶対値の加算を開始し、所定の数値以上の加算値が算出されると回転動作として検出するとともに、左右の回転方向はＹ軸方向のオブジェクトの動作を負方向と認識した光学式センサ側の回転動作として検出する動作認識処理部を有する動作検出手段と、このオブジェクトに関連するコンテンツ情報の格納手段と、上記読取手段によって特定されたコンテンツ情報をこの格納手段に格納されたコンテンツ情報から読み出す読出手段と、読み出されたコンテンツ情報について、前記動作検出手段によって検出された前記オブジェクトの１以上の動作に対応づけられたコンテンツ情報の提供を制御する制御手段と、この制御手段によって提供されるコンテンツ情報を表示、再生等する出力手段とを有し、上記読取手段と動作検出手段とから構成される入力インターフェース部が、筐体内に固定して収納可能なように形成されたことを特徴とする。
【００１９】
この構成によれば、上記情報処理装置の入力インターフェースは、筐体内で固定されており、オブジェクトを所定の距離まで動かすことにより、オブジェクトに記録されたコンテンツのうち、所望のコンテンツ情報の試聴、閲覧等が可能になる。
【００２０】
上記オブジェクトに付されたＩＤの読取手段は、オブジェクトに付されたＲＦＩＤタグを読み取るＲＦＩＤリーダやオブジェクトに付されたバーコードを読み取るバーコードリーダであってもよい。ＲＦＩＤタグやバーコードは、貼付するスペースが小さくても問題なく、比較的安価で入手し易く、現在他の目的でも既に使用されているものもある。
【００２１】
前記２つの光学式センサにより、オブジェクトの動作を２点で捉えることができるため、２次元方向の動作のほか、回転動作も検出できる。なお、光学式センサの光源はＬＥＤ、レーザ等特に限定されるものではない。
【００２２】
上記光学式センサは、２つの光学式マウスのセンサ面をオブジェクトを動作させる側に向けて並設させてもよい。公知の光学式マウスを使用することにより、簡単な構造のインターフェース部を形成することができる。
【００２３】
上記２つの光学式センサは、上記ＸＹ座標上でのオブジェクトの動作を２点の座標信号として検出し、検出された座標信号を上記制御手段に送信するようにしてもよい。上記２つの光学式センサの認識領域をＸＹ座標としてオブジェクトの動作を検出すれば、検出結果を座標データとして信号化することができる。
【００２４】
なお、上記光学式マウスを使用する場合は、センサ面をオブジェクトを動作させる側に向けて並設させることにより左右または上下の動作の検出が逆転するため、上記オブジェクトの動作検出手段に逆転した動作を補正する補正処理部を設ければよい。
【００２５】
上記オブジェクトの所定の動作は、上記動作検出手段が、下記の通り、左右上下及び左右の回転の６つの動作を認識する動作認識処理部を有するようにすればよい。
【００２６】
まず、左右の動作については、いずれか一方の光学式センサがＸ軸方向のオブジェクトの動作を認識すると、２つの光学式センサで認識された移動距離の加算を開始し、正方向に所定の数値以上の加算値が算出されると右方向の動作として検出し、負方向に所定の数値以下の加算値が算出されると左方向の動作として検出すればよい。
【００２７】
上下の動作については、２つの光学式センサがＹ軸方向のオブジェクトの動作を認識すると、２つの光学式センサで認識された移動距離の加算を開始し、正方向に所定の数値以上の加算値が算出されると上方向の動作として検出し、負方向に所定の数値以下の加算値が算出されると下方向の動作として検出すればよい。
【００２８】
回転の動作については、２つの光学式センサがＹ軸方向のオブジェクトの動作をそれぞれ正負反対方向に認識すると、２つの光学式センサで認識された移動距離の絶対値の加算を開始し、所定の数値以上の加算値が算出されると回転動作として検出するとともに、左右の回転方向はＹ軸方向のオブジェクトの動作を負方向と認識した光学式センサ側の回転動作として検出すればよい。
【００２９】
なお、上記情報処理装置は、上記格納手段が遠隔地に設けられている場合には、この格納手段に格納されたコンテンツ情報をインターネット網、ＬＡＮなどの通信回線網を介して受信する受信手段を備えたものにすればよい。
【００３０】
上記課題を解決するため、本発明にかかる筐体は、請求項１から請求項９までのいずれかに記載の情報処理装置を収納した筐体であって、上記オブジェクトのＩＤ及び動作の読取、検出面は、入力インターフェース部を構成するＲＦＩＤリーダまたはバーコードリーダ及び光学式センサによって上記オブジェクトのＩＤ及び動作を読取、検出可能な透過性素材で形成され、上記筐体の所定の用途に供される平面と同一平面上に位置することを特徴とする。
【００３１】
この構成によれば、情報処理装置を不使用の場合には、入力インターフェース部を含む情報処理装置は、筐体の他の用途での使用の支障になることはない。
【００３２】
上記筐体は、たとえば、資料、書類等を載置する天板と、天板の裏面から垂下方向に延出させた脚部とを有するワゴン形状の筐体であって、入力インターフェース部は、上記オブジェクトのＩＤ及び動作の読取、検出面がこの天板と同一平面上に位置するように天板の厚さ方向に形成された収納部に収納され、上記情報処理装置を構成する格納手段と読出手段と制御手段については、上記脚部内に形成された収納部に収納され、コンテンツ情報の表示、再生を行なうプロジェクタをこの脚部に設置したものであってもよい。
【００３３】
また、上記筐体は、上記出力手段が画像、音声を表示、再生する１以上のディスプレイであり、ディスプレイと入力インターフェース部とをディスプレイの画像表示面と入力インターフェース部によるオブジェクトのＩＤ及び動作の読取、検出面とが同一平面上に位置するように隣接させて配設し、各筐体に上記オブジェクトを収納または展示するボックス、引出しを付設したものであってもよい。
【発明の効果】
【００３４】
以上の説明から明らかなように、本発明にかかるオブジェクトに関するコンテンツ情報処理装置は、不確定なオブジェクトの移動量、回転量の相違を修正し、２個の光学式マウスを裏返して使用しても回転量の検出が可能であり、上下左右の動きが反転しないようにして、コンテンツ情報を提供することができるという効果を奏する。
【００３５】
また、本発明にかかる上記情報処理装置を収納する筐体は、入力インターフェース部を筐体に一体的に収納したまま入力操作ができるので、既存の筐体の形状親和性が高く、また、従来のマウスやキーボードなどと異なり、外部からは入力インターフェース部の存在を意識することなく入力操作ができるため、ユビキタスコンピューティングの実現に資することができるという効果を奏する。
【発明を実施するための最良の形態】
【００３６】
図１は、本発明にかかる情報処理装置１のハードウェア概略構成ブロック図である。情報処理装置１は、入力インターフェース部１１とデータ格納部・制御部１２と出力部１３とを有する。
【００３７】
入力インターフェース部１１は、本実施の形態では、ＲＦＩＤリーダ１１１と２つの光学式マウス１１２とから構成されている。ＲＦＩＤリーダ１１１は、情報処理装置１によってコンテンツ情報が提供される対象となる上記オブジェクトに付されたＲＦＩＤタグのＩＤ情報を読み取る読取手段である。本実施の形態ではＲＦＩＤリーダとしたが、これに限定される趣旨ではなく、たとえば、バーコードリーダであってもよい。この場合は、上記オブジェクトに付されるＩＤ情報の記録媒体はバーコードになる。光学式マウス１１２は、上記オブジェクトの動作検出手段である。この光学式マウス１１２は２つで構成されているが、これは後述する通り、オブジェクトの２次元方向の動作のほか、回転動作を検出するためである。光学式マウス１１２は、公知のものでよい。本実施の形態では、動作検出手段を光学式マウスとしたが、これに限定される趣旨ではなく、光学式に読取可能なセンサであればよい。
【００３８】
制御処理部１２は、ＣＰＵ１２１から構成され、入力インターフェース部１１から送信されてくるオブジェクトの入力信号を受信してコンテンツ情報の格納、読取、制御等の処理を行なう。
【００３９】
出力部１３は、画像を出力するディスプレイ１３１と音声を出力するスピーカ１３２とを有し、制御処理部１２で生成されるコンテンツ情報データ信号を受信してコンテンツ情報を画像、音声により出力する出力手段である。本実施の形態では、出力部１３は、ディスプレイ１３１とスピーカ１３２のみを示しているが、これに限定される趣旨ではない。したがって、たとえば、プリンタなどでハードコピーを出力するものであってもよい。
【００４０】
図２は、図１の制御処理部１２のシステム構成ブロック図である。図１と同じハードウェア構成部分については、同じ符号を付している。
【００４１】
制御処理部１２をハードウェア上構成するＣＰＵ１２１は、制御処理部１２のシステムを構成する各モジュール、プログラムを解釈及び実行する。
【００４２】
この制御処理部１２のシステムは、制御プログラム１２２を中心として各種モジュール、プログラムが稼動する。
【００４３】
入力インターフェース部１１側は、ＲＦＩＤリーダ１１１で読み取られた上記オブジェクトのＩＤ情報信号を受け取るＲＦＩＤ受取モジュール１２３と光学式マウス１１２がオブジェクトの動きを検出する動作検出モジュール１２４とから構成されている。
【００４４】
ＲＦＩＤ受取りモジュール１２３または動作検出モジュール１２４から各々の信号を受信した制御プログラム１２２は、あらかじめコンテンツ情報を格納しているコンテンツ情報データベース１２５からＲＦＩＤ受取モジュール１２３によって特定されたコンテンツ情報を読み出して、動作検出モジュール１２４で指定された動作に対応する情報の提供をするために、アプリケーションプログラム１２６を呼び出して上記コンテンツ情報を出力部１３側のディスプレイ１３１またはスピーカ１３２に所定の信号を送信する。
【００４５】
動作検出モジュール１２４で指定された動作に対応する情報の提供とは、たとえば、オブジェクトの動作が、音楽の「音量をあげる」という要求を示すものであるとすると、制御プログラム１２２が、対応するアプリケーションプログラム１２６を呼び出してスピーカ１３２での出力時に音量をあげるように制御してコンテンツ情報を提供するということである。
【００４６】
なお、コンテンツ情報データベース１２５は、本実施の形態では、制御処理部１２とは外部のデータストア部から読み出す形態を示したが、制御処理部１２内に設けてもよい。また、本実施の形態のように外部のデータストア部の場合、コンテンツ情報データベース１２５は遠隔地に設けてもよく、制御処理部１２との間のデータの送受信は、インターネット網、ＬＡＮなどの通信回線網（図示せず）を介して行えばよい。この場合は、制御処理部１２は、コンテンツ情報データベース１２５から送信されるコンテンツ情報データを受信する受信手段（図示せず）を有することになる。
【００４７】
図３は、本発明にかかる情報処理装置１の処理フローを示したものである。まず、情報処理装置１のハードウェアを起動させると、制御プログラム１２２ａでは、各種アプリケーションを起動する（Ｓ１）。次いでＲＦＩＤリーダ１１１を開き（Ｓ２）、動作検出モジュール１２４を登録し（Ｓ３）、ＲＦＩＤ受取りモジュール１２３または光学式マウス１１２からの入力信号待ち状態になる（Ｓ４）。また、ＲＦＩＤリーダでの読取りができるようにＲＦＩＤ受取りモジュール１２３を稼動させ、制御プログラム１２２ｂを各種メッセージ受信が可能なようにメッセージの待ち受け状態にする（Ｓ５）。
【００４８】
ＲＦＩＤ受取りモジュール１２３では、ＲＦＩＤリーダ１１１の読取りを開始し（Ｓ６）、読取りが確認できた場合には（Ｓ７）、読取られたオブジェクトのＲＦＩＤタグ信号を制御プログラム１２２ａに送信する（Ｓ８）。なお、ＲＦＩＤリーダ１１１の読取りが確認できない場合には（Ｓ７）、再びＲＦＩＤリーダ１１１の読取りを行うことになる（Ｓ６）。
【００４９】
また、光学式マウス１１２によりオブジェクトの動作が検出されると、光学式マウス１１２から信号を制御プログラム１２２ａに送信する（Ｓ９）。
【００５０】
制御プログラム１２２ａでは、上記Ｓ８、Ｓ９からの信号を受信すると（Ｓ１０）、制御プログラム１２２ｂに信号を送信する（Ｓ１１）。上記Ｓ８、Ｓ９からの信号がない状態では（Ｓ１０）、入力信号待ち状態が維持される（Ｓ４）。
【００５１】
制御プログラム１２２ｂでは、Ｓ１１による信号を受信すると、この信号がＲＦＩＤタグ信号がどうかを判断し（Ｓ１２）、ＲＦＩＤ信号ならばアプリケーションプログラム１２６を起動し（Ｓ１３）、制御信号の待ち受け状態となる（Ｓ１４）。上記Ｓ１２でＲＦＩＤタグ信号でなければ、動作検出モジュール１２４により、光学式マウス情報を取得し（Ｓ１５）、光学式マウス情報の処理をして（Ｓ１６）動作の判定を実行する（Ｓ１７）。ここで、動作の判定とは、たとえばオブジェクトが左右上下に動いたのか、あるいは左右いずれに回転したのかを判定するものである。動作判定確認ができた場合には（Ｓ１８）、コンテンツ情報制御信号をアプリケーションプログラム１２６に送信するとともに（Ｓ１９）次のメッセージ待ちの待ち受け状態が維持される（Ｓ５）。
【００５２】
アプリケーションプログラム１２６でコンテンツ情報制御信号を受信すると（Ｓ２０）、制御信号に対応したアプリケーション制御を実行する（Ｓ２１）。このアプリケーション制御の実行後、または、上記コンテンツ情報制御信号を受信しない場合は、制御信号待ち受け状態が維持される（Ｓ１４）。
【００５３】
図４は、入力インターフェース部１１の構造を模式的に示した図である。図１で説明したとおり、ＲＦＩＤリーダ１１１と２つの光学式マウス１１２とから構成されている。公知のＲＦＩＤリーダ１１１は、ＲＦＩＤリーダ本体１１１ａとアンテナ１１１ｂから構成されているが、アンテナ１１１ｂをたとえば矩形状に形成し、アンテナ１１１ｂ内にセンサ面を上向きにして光学式マウス１１２を２つ併設させて基板（図示せず）上に固定すれば、入力インターフェース部１１をユニット化することができ、各種筐体内に固定して収納することが容易である。
【００５４】
ＲＦＩＤタグＴを付したオブジェクトＯをＲＦＩＤリーダ本体１１１ａ上で読み込ませると、オブジェクトＯのＩＤ信号を受取りオブジェクトＯを認識する。次いでオブジェクトＯを光学式マウス１１２上で動かすと、動作を検出し、所望のコンテンツ情報が提供される。
【００５５】
ところで、上記光学式マウス１１２は、公知の光学式マウスを２つ併設して使用しているため、ＯＳ側では、１つのマウスとして認識されるという不都合がある。そこで、本発明にかかる情報処理装置１の制御処理部１２にマウス動作検出モジュール１２４を設けて上記不都合を解消した。
【００５６】
以下２つの光学式マウスによるオブジェクトの動作の検出方法について図５を使用して説明する。図５では、２つの光学式マウス１１２を区別するために、光学式マウスＡ、Ｂとする。
【００５７】
図５の（ａ）（ｂ）からも明らかな通り、光学式マウスＡ、Ｂの認識領域をＸＹ座標とし、このＸＹ座標上でのオブジェクトの動作を座標に向かって左側に位置する光学式マウスＡと右側に位置する光学式マウスＢによってそれぞれ認識される２点の座標信号として検出し、検出された座標信号を制御プログラムに送信することによって最終的にオブジェクトの動作をアプリケーションプログラムに伝達する。
【００５８】
本実施の形態では、オブジェクトの所定の動作を左右上下及び左右の回転の６つの動作としたがこれに限定する趣旨ではない。以下、左右、上下、左右の回転の３つにわけて動作の検出方法を説明する。
【００５９】
まず、図５（ａ）により、左右及び上下の動作の検出方法について説明する。左右の動作については、ＸＹ座標上で光学式マウスＡ、Ｂいずれか一方がＸ軸方向のオブジェクトの動作を認識すると、２つの光学式マウスで認識された移動距離の加算を開始し、正方向に所定の数値以上の加算値が算出されると右方向の動作として検出し、負方向に所定の数値以下の加算値が算出されると左方向の動作として検出する。従って、たとえば、上記所定の数値を１００とすると、Ｘ軸移動距離の和≧＋１００のときは、右方向の動作として検出し、Ｘ軸移動距離の和≦−１００のときは、左方向の動作として検出する。
【００６０】
次に、上下の動作については、ＸＹ座標上で２つの光学式マウスＡ、ＢがＹ軸方向のオブジェクトの動作を認識すると、２つの光学式マウスＡ、Ｂで認識された移動距離の加算を開始し、正方向に所定の数値以上の加算値が算出されると上方向の動作として検出し、負方向に所定の数値以下の加算値が算出されると下方向の動作として検出する。従って、たとえば、上記所定の数値を８０とすると、Ｙ軸移動距離の和≧＋８０のときは、上方向の動作として検出し、Ｙ軸移動距離の和≦−８０のときは、下方向の動作として検出する。
【００６１】
図５（ｂ）により、左右の回転の動作の検出方法について説明する。２つの光学式マウスＡ、ＢがＹ軸方向のオブジェクトの動作をそれぞれ正負反対方向に認識すると、２つの光学式マウスＡ、Ｂで認識された移動距離の絶対値の加算を開始し、所定の数値以上の加算値が算出されると回転動作として検出するとともに、左右の回転方向はＹ軸方向のオブジェクトの動作を負方向と認識した光学式マウスの側の回転動作として検出する。従って、たとえば、上記所定の数値を５０とすると、Ｙ軸移動距離の絶対値の和≧５０のときに回転の動作として検出するとともに、図５（ｂ）によれば、光学式マウスＢがＹ軸方向のオブジェクトの動作を負方向と認識しているため、右方向の回転動作として検出する。
【００６２】
上記動作検出方法でオブジェクトの微小な動作まで検出しないようにするためには、すべての移動距離の認識を所定の数値以上に設定すればよい。たとえば、移動距離の数値が１０以上の場合に光学式マウスＡ、Ｂが移動したと認識するように設定した場合には、光学式マウスＡ、Ｂの右方向の移動距離の和が＋８の場合、移動距離の加算処理はせず、右方向に移動したとは認識しない。
【００６３】
さらに、上記検出方法による動作検出モジュール１２４の負荷を軽減するためには、光学式マウスＡ、Ｂから絶えず入力される移動距離データの一定間隔のみを有効とすればよい。
【００６４】
なお、２つの光学式マウスは裏返して使用しているため、上下左右が逆転するのでこれを補正する補正処理部（図示せず）も上記マウス動作検出モジュール１２４に含めるようにすればよい。
【００６５】
ところで、本発明にかかる上記情報処理装置１は、各種筐体に収納することが可能である。特に、上記オブジェクトのＩＤ及び動作の読取、検出面が、入力インターフェース部１１を構成するＲＦＩＤリーダまたはバーコードリーダ及び光学式センサによって上記オブジェクトのＩＤ及び動作を読取、検出可能な透過性素材で形成され、上記筐体の所定の用途に供される平面と同一平面上に位置するように収納することが可能である。
【００６６】
この構成によれば、情報処理装置１を不使用の場合には、入力インターフェース部１１を含む情報処理装置は、筐体の他の用途での使用の支障になることはない。以下、このような筐体の具体的な実施形態を説明する。
【００６７】
図６は、プロジェクタ付ワゴン形状の筐体２に上記情報処理装置１を収納したものを示したものである。図６の（ａ）を参照して、２１は筐体２の天板である。本実施の形態では、天板２１の形状は、円形であるがこれに限定する趣旨ではない。この天板２１には、厚さ方向に形成された上記入力インターフェース部１１の収納部２１１ａが形成されている。収納部２１１ａには、入力インターフェース部１１を構成するＲＦＩＤリーダ１１１ａとアンテナ１１１ｂ及び２つの光学式マウス１１２が収納されている。収納部２１１ａは、天板２１と同一平面上に上面が位置するように読取・検出部２１１ｂで閉塞されている。この読取・検出部２１１ｂは、ＲＦＩＤリーダ１１１ａ（またはバーコードリーダ）及び光学式マウス１１２で上記オブジェクトの動作を読取、検出可能な透過性素材、たとえばアクリル、ガラスなどで形成されている。このように入力インターフェース部１１を天板２１に収納することにより、天板２１の上面は、凹凸のないフラットな形状となるため、資料、書類を載置するスペースを確保することができる。さらに、ＲＦＩＤタグが付されていない限り、上記読取・検出部２１１ｂ上に資料、書類を載置しても誤作動することはない。
【００６８】
なお、本発明に係る特許請求の範囲を逸脱しない限り、天板２１、収納部２１１ａ、読取・検出部２１１ｂは、図６（ａ）の形態に限定されるものではない。たとえば、天板２１全体が上記透過性素材で形成され、入力インターフェース部１１は、天板２１の裏面から収納部２１１ａに収納してもよい。また、天板２１が上記透過性素材以外の素材で形成されていても、入力インターフェース部１１のＲＦＩＤリーダ１１１ａ（またはバーコードリーダ）及び光学式マウス１１２で読取・検出可能なように天板２１の上面に読取・検出用に穴を開口してもよい。
【００６９】
天板２１は、入力インターフェース部１１の収納部２１１ａのほか、裏面にデータ入力などのメンテナンス用のキーボードｋ及びマウスｍの収納部２１２と、入力インターフェース部１１、キーボードｋと情報処理装置１の本体とを接続するＵＳＢハブｕの収納部２１３が形成されている。
【００７０】
図６（ｂ）を参照して、２２は、天板の裏面から天板支持部２２１を介して垂下方向に延出させた脚部である。この脚部２２には、入力インターフェース部１１を除く上記情報処理装置１が収納されている（図示せず）。脚部２２には、情報処理装置１の出力部としてプロジェクタ２３が取り付けられている。メンテナンス用のキーボードｋ及びマウスｍの収納部２１２は、ヒンジ機構を介して下方向に開閉自在の扉部２１２ａが取り付けられており、この扉部２１２ａにキーボードｋ及びマウスｍが取り出し可能な状態で載置されている。
【００７１】
図６（ｃ）を参照して、２１３ａは、ＵＳＢハブｕの収納部２１３の扉部である。扉部２１２ａと同様に収納部２１３にヒンジ機構を介して下方向に開閉自在に取り付けられている。天板支持部２２１は、２つの支柱から構成されており、脚部２２内に収納され、高さ調節のため伸縮自在に形成されている。
【００７２】
プロジェクタ付ワゴン形状の筐体２は、上記の通り、天板２１がフラットに形成されている。従って、プロジェクタ２３を使用してプレゼンテーションなどを行う場合に、必要な補充資料、書類等を天板上で広げるスペースを確保できるので効率の良いプレゼンテーションなどが可能になる。なお、プロジェクタ２３のページ送りなどの操作は、たとえば、ＲＦＩＤタグを付したプレゼンテーション用レーザポインタやリストバンドを使用してもよいし、プレゼンテーションの対象となる実物のオブジェクトがある場合は、このオブジェクト自体にＲＦＩＤタグを付して使用してもよい。
【００７３】
図７を参照して、３は上記情報処理装置１を収納したディスプレイ、オブジェクト収納・展示ボックス一体型の筐体である。筐体３の天板３１には、上記情報処理装置１のディスプレイ１３１が、天板３１と同一平面上に表示面を露出させて嵌設されている。また、図６で示したプロジェクタ付ワゴン形状の筐体２と同様に、ＲＦＩＤリーダ１１１と光学式マウス１１２も天板３１と同一平面上に嵌設されている。各ディスプレイ１３１の直下には、筐体３の側方から引出し３２ａによって出し入れ可能なメンテナンス用キーボードｋ及びマウスｍの収納部３２ｂが形成されている。各ＲＦＩＤリーダ１１１、光学式マウス１１２、ディスプレイ１３１は、筐体内部に収納されている情報処理装置１本体（図示せず）に接続されている。筐体３には、ディスプレイ１３１に隣接してオブジェクトを収納・展示するボックス３３が付設されている。本実施の形態では、筐体３は、ボックス３３と一体成形した形態を示したが、ディスプレイ１３１、入力インターフェース部１１が、嵌設されている本体とボックス３３とを螺子などで接合させる形態でもよい。また、オブジェクトを収納、展示するのは、このボックス３３のほか、側面に形成された引出し（図示せず）であってもよい。
【００７４】
本実施の形態では、ボックス３３にＲＦＩＤタグ付きのコンパクトディスクＣ、書籍Ｂを収納した。たとえば、この筐体３を店頭に配置すれば、顧客は任意のコンパクトディスクＣ、書籍Ｂをボックス３３から選択し、これをＲＦＩＤリーダ１１１で読み取らせた後、光学式マウス１１２上で所定の動作をすることにより、コンテンツ情報の試聴、閲覧ができる。なお、コンパクトディスクＣの再生については、図示しないスピーカから出力してもよいが、本実施の形態のように複数の顧客による試聴が可能な形態の場合には、図示しないヘッドセットなどで試聴できるように筐体３の側面などにこのヘッドセットを懸架させればよい。
【００７５】
図７では、オブジェクトとしてコンパクトディスクＣ、書籍Ｂを例示したが、ＲＦＩＤタグやバーコードを付することができるものであれば、これに限定する趣旨ではない。したがって、靴、衣服、アクセサリー、食料品などであってもよい。たとえば、靴の場合、ボックス３３に収納されている靴の値札などに付されているＲＦＩＤタグをＲＦＩＤリーダで読み取らせた後に光学式マウス１１２上で所定の動作をすると、当該店舗における在庫情報、同種の靴の他メーカの情報、さらには、情報処理装置１がインターネット網で通信可能な場合には、近隣支店の在庫情報なども入手することができる。
【００７６】
また、設置する場所は上記商品を販売する店舗に限定されるものではなく、ショールーム、博物館、展示会などで来訪者がＲＦＩＤタグ付きの展示物やパンフレットを読み込ませることによって必要なコンテンツ情報を閲覧等するようにしてもよい。さらに、ゲームセンターにおけるゲームのインターフェースとして使用してもよい。
【００７７】
筐体３は、図７で示したような形態を１つのユニットとして、配置する場所、ボックス３３に収納するオブジェクトなどに応じて複数のユニットを直列に接合したり、コの字状に接合してもよい。
【００７８】
なお、オブジェクトに付するＲＦＩＤタグは、他の用途と兼用のものでもよい。たとえば、万引き防止のために上記コンパクトディスクＣや書籍Ｂに付したＲＦＩＤタグを筐体３のＲＦＩＤリーダで読み取らせる商品ＩＤタグとして兼用してもよい。したがって、筐体３を導入しても商品自体の外観を損なうことなく実施できるうえ、経済的でもある。
【００７９】
図８は、図７の筐体３の変形例である。図７の筐体３と同一の機能を有するものについては、同一の符号を付している。筐体３’は、役所、金融機関などで各種申請をする場合の申請書Ａを専用収納ボックス３３’に配置したテーブルである。たとえば、役所、金融機関などで一度登録すると、ＲＦＩＤタグを付したカード（図示せず）などが手交され、以後、当該役所、金融機関などで申請書Ａに所定事項を記載する場合には、上記カードをＲＦＩＤリーダに読み取らせた後、光学式マウス１１２上でそのカードを動かすことにより所望の申請書フォームをディスプレイ１３１上で表示させ、氏名、住所など各申請書に共通の記載事項については、印字された状態でプリンタ（図示せず）で出力させて個別の記載事項（例えば金額など）だけを備え付けのペンＰで記入して窓口に提出することができる。筐体３’によって記載事項が減るため書き損じが減るとともに、来訪者の手間も軽減できるという効果を奏する。
【００８０】
筐体３の変形例としては、図８のほか、キッチンなどに組み込んだ形態のもので食材を入力インターフェース部にかざすことにより、レシピなどを表示させる形態、レストランなどで備え付けのＲＦＩＤ付きメニューを入力インターフェース部にかざすことにより、写真、説明付きのメニューが表示され、所定の動作により直接厨房にオーダ信号を送信する形態などが考えられる。
【図面の簡単な説明】
【００８１】
【図１】本発明にかかる情報処理装置のハードウェア概略構成ブロック図
【図２】制御処理部のシステム構成ブロック図
【図３】本発明にかかる情報処理装置の処理フロー図
【図４】入力インターフェース部の構造を模式的に示した図
【図５】（ａ）光学式マウスによるオブジェクトの上下左右の動作の検出方法を説明する図、（ｂ）光学式マウスによるオブジェクトの回転の動作の検出方法を説明する図
【図６】（ａ）本発明にかかる情報処理装置を収納したプロジェクタ付ワゴン形状の筐体の上面図、（ｂ）本発明にかかる情報処理装置を収納したプロジェクタ付ワゴン形状の筐体の側面図、（ｃ）本発明にかかる情報処理装置を収納したプロジェクタ付ワゴン形状の筐体の正面図
【図７】ディスプレイ、オブジェクト収納・展示ボックス一体型の筐体を示した図
【図８】ディスプレイ、オブジェクト収納・展示ボックス一体型の筐体の変形例を示した図
【符号の説明】
【００８２】
１ 情報処理装置
２ プロジェクタ付ワゴン形状の筐体
３ ディスプレイ、オブジェクト収納・展示ボックス一体型の筐体
１１ 入力インターフェース部
１２ 制御処理部
１３ 出力部
１１１ ＲＦＩＤリーダ
１１２ 光学式マウス
１２１ ＣＰＵ
１３１ ディスプレイ
１３２ スピーカ
【図１】
0004801975.tif 000002
【図２】
0004801975.tif 000003
【図３】
0004801975.tif 000004
【図４】
0004801975.tif 000005
【図５】
0004801975.tif 000006
【図６】
0004801975.tif 000007
【図７】
0004801975.tif 000008
【図８】
0004801975.tif 000009